(57)【特許請求の範囲】
【請求項１】
複数の画像処理を適用して、処理対象画像から目的領域を抽出する画像処理装置であって、
前記目的領域は、前記処理対象画像における周辺領域とは異なる部位であり、
前記処理対象画像に第１の画像処理手順を適用した際の処理結果に関する第１の履歴を記憶する処理部と、
前記第１の画像処理手順の後に適用する画像処理の候補と、各候補に対応する第２の画像処理手順を適用した際の処理結果に関する第２の履歴とを蓄積するデータベースから前記第２の履歴を読み出して前記第１の履歴との類似度を評価し、高い評価結果が得られた第２の履歴に対応する画像処理を次の候補に決定する処理部と、
決定された画像処理に基づいて目的領域の抽出処理を実行する処理部と
を有する画像処理装置。
【請求項２】
請求項１に記載の画像処理装置において、
前記履歴が、一つ以上の画像処理を行った際に、各処理で抽出された目的領域に関する特徴量の変化情報である
ことを特徴とする画像処理装置。
【請求項３】
請求項２に記載の画像処理装置において、
前記特徴量が、目的領域の数又は大きさである
ことを特徴とする画像処理装置。
【請求項４】
請求項２に記載の画像処理装置において、
前記特徴量が、画像処理アルゴリズムの情報である、
ことを特徴とする画像処理装置。
【請求項５】
請求項２〜４のいずれか１項に記載の画像処理装置において、
前記処理対象画像が医用画像であり、前記目的領域が病変部である
ことを特徴とする画像処理装置。
【請求項６】
請求項１に記載の画像処理装置において、
前記データベースには、前記第２の画像処理手順に対応付けられた評価指標が記憶されており、
前記第１の履歴と前記第２の履歴の類似度を評価する場合、前記評価指標も含めて前記類似度を評価する
ことを特徴とする画像処理装置。
【請求項７】
複数の画像処理を適用して、処理対象画像から目的領域を抽出する計算機において実行される画像処理方法であって、
前記目的領域は、前記処理対象画像における周辺領域とは異なる部位であり、
前記処理対象画像に第１の画像処理手順を適用した際の処理結果に関する第１の履歴を記憶する処理と、
前記第１の画像処理手順の後に適用する画像処理の候補と、各候補に対応する第２の画像処理手順を適用した際の処理結果に関する第２の履歴とを蓄積するデータベースから前記第２の履歴を読み出して前記第１の履歴との類似度を評価し、高い評価結果が得られた第２の履歴に対応する画像処理を次の候補に決定する処理と、
決定された画像処理に基づいて目的領域の抽出処理を実行する処理と
を有する画像処理方法。
【請求項８】
請求項７に記載の画像処理方法において、
前記履歴が、一つ以上の画像処理を行った際に、各処理で抽出された目的領域に関する特徴量の変化情報である
ことを特徴とする画像処理方法。
【請求項９】
請求項８に記載の画像処理方法において、
前記特徴量が、目的領域の数又は大きさである
ことを特徴とする画像処理方法。
【請求項１０】
請求項８に記載の画像処理方法において、
前記特徴量が、画像処理アルゴリズムの情報である、
ことを特徴とする画像処理方法。
【請求項１１】
請求項８〜１０のいずれか１項に記載の画像処理方法において、
前記処理対象画像が医用画像であり、前記目的領域が病変部である
ことを特徴とする画像処理方法。
【請求項１２】
請求項７に記載の画像処理方法において、
前記データベースには、前記第２の画像処理手順に対応付けられた評価指標が記憶されており、
前記第１の履歴と前記第２の履歴の類似度を評価する場合、前記評価指標も含めて前記類似度を評価する
ことを特徴とする画像処理方法。
【発明の詳細な説明】
【技術分野】
【０００１】
本発明は、複数の画像処理の組み合わせにより目的領域を画像内から抽出するための手順を自動的に設定するための技術に関する。
【背景技術】
【０００２】
画像診断装置等の進歩に伴い、医用画像や医用情報は著しく増加している。その結果、医用画像や医用情報の蓄積量は膨大になっている。一方で、蓄積量の増加は、医用画像を診断に使用する臨床医や放射線科医に対する負担の増加を招いている。結果的に、蓄積された医用画像や医用情報が十分に活用されない状況が生じている。
【０００３】
そこで、医用画像の有効活用と診断や治療の質を向上する目的で、１つの医用画像に適用する複数の画像処理と、その実行手順を事前に決定する手法が提案されている（例えば、特許文献１参照）。
【０００４】
前記文献には、画像診断装置（例えばＣＴ（computed tomography）装置の画像データに適用する解析プロトコル（画像解析の手順）を検査目的及び検査部位に応じて決定し、前処理で取得したパラメータを用いた画像処理により所望の処理結果を得る装置が開示されている。すなわち、前記文献には、予め画像処理の実行手順を画像データ及び画像付帯情報に基づいて選択し、それを順次実行する技術が開示されている。
【先行技術文献】
【特許文献】
【０００５】
【特許文献１】特開２００９−８２４５２号公報
【発明の概要】
【発明が解決しようとする課題】
【０００６】
前述した文献に係る装置の場合、画像処理（画像解析）の開始前に、その実行順序が予め自動的に決定される。すなわち、実行順序が予め固定される。このため、画像処理の途中で処理内容を変更したい場合には、使用者自身が処理内容の変更を個別に指示入力する必要がある。特に、実行中の画像処理により所望の処理結果が得られていない場合、次回以降の処理内容の変更が必要となる場合がある。
【０００７】
しかし、使用者による個別の操作入力を必要とするのでは、使用者の負担を軽減することはできない。
【０００８】
本発明者は、以上の課題を鋭意検討した結果、処理対象画像に対して順次適用する画像処理の内容を逐次自動的に決定できる仕組みを提供する。
【課題を解決するための手段】
【０００９】
本発明は、処理対象画像に対する直前回までに適用された画像処理結果の履歴に基づいて、次回以降に実行する画像処理の内容を自動的に決定する。
【発明の効果】
【００１０】
本発明によれば、次回以降の画像処理の内容を、大量に蓄積されている画像処理結果の履歴との照合を通じ、自動的に決定することができる。これにより、処理対象画像から目的領域を画像処理を通じて抽出する際における使用者の操作負担を低減することができる。
【００１１】
上記した以外の課題、構成及び効果は、以下の実施形態の説明により明らかにされる。
【図面の簡単な説明】
【００１２】
【図１】形態例１に係る画像処理システムの機能ブロック構成を示す図。
【図２】形態例１に係る画像処理装置を通じて提供される表示画面例を示す図。
【図３】形態例１に係る画像処理装置で実行される処理手順を示すフローチャート。
【図４】形態例１に係る目的領域特徴量と手順特徴量の関係を説明する図。
【図５】形態例１に係る次処理決定部の処理内容を説明する図。
【図６】形態例２に係る画像処理システムの機能ブロック構成を示す図。
【図７】形態例２に係る画像処理装置で実行される処理手順を示すフローチャート。
【図８】形態例３に係る次処理決定部の処理内容を説明する図。
【図９】形態例４に係る目的領域特徴量と手順特徴量の関係を説明する図。
【発明を実施するための形態】
【００１３】
以下、図面に基づいて、本発明の実施の形態を説明する。なお、本発明の実施態様は、後述する形態例に限定されるものではなく、その技術思想の範囲において、種々の変形が可能である。
【００１４】
（１）共通構成
以下に説明する画像処理装置は、いずれも、処理対象画像から目的領域を抽出するために、複数の画像処理を順番に適用する場合を想定する。各形態例に係る画像処理装置は、直前回までに取得された処理結果の履歴と類似する履歴を有する画像処理手順をデータベースから検索し、検索結果から次に適用する画像処理の内容を自動的に決定する点において共通する。すなわち、各画像処理装置は、データベースに大量に蓄積されている過去に使用された画像処理手順の情報に基づいて、次に適用する画像処理を統計的に決定する。
【００１５】
ここで、データベースには、経験や処理結果等に基づいて技術専門家が逐次決定した判断の結果が画像処理手順として保存されている。従って、現在処理中の処理対象画像に対する処理結果の履歴と類似する履歴を有する過去の画像処理手順を検索し、検出された画像処理手順で使用された次の回の画像処理をそのまま現在の処理に適用することは、目的領域の抽出に対して統計上の意味がある。各形態例に係る画像処理装置では、この決定処理を繰り返すことにより、処理対象画像から目的領域を自動的に抽出する。
【００１６】
（２）形態例１
（２−１）システム構成
図１に、形態例１に係る画像処理システムの機能ブロック構成を示す。形態例１に係る画像処理システムは、画像処理装置１００と、処理フローモデルデータベース１０２と、画像データベース１０３と、画像表示装置１０４とで構成される。
【００１７】
処理フローモデルデータベース１０２には、過去に実行された画像処理手順や標準モデルとして登録された画像処理手順が保存されている。本明細書において「手順」とは、複数の画像処理の実行順序を規定する情報をいう。この形態例の場合、画像処理手順には、各画像処理が実行された時点で得られる処理結果（以下、「目的領域特徴量」ともいう。）の履歴（以下、「手順特徴量」ともいう。）も含まれる。
【００１８】
画像データベース１０３には、処理対象とする画像データが保存される。この形態例の場合、医用画像データが保存されている。例えば造影ＣＴデータが保存されている。勿論、画像データは、造影ＣＴデータに限らない。
【００１９】
画像処理装置１００は、画像処理部１２１、目的領域特徴量抽出部１１１、目的領域特徴量記憶部１１２、次画像処理決定部１２０で構成される。この形態例の場合、画像処理装置１００はコンピュータを基本構成とし、図１に示す各処理部は演算装置上で実行されるプログラムの機能として実現される。
【００２０】
画像処理部１２１は、検査画像２００又は直前回までの画像処理で得られた結果画像に対し、画像処理２０４で指定された画像処理を適用する機能を提供する。個々の画像処理に対応するプログラムは不図示の記憶領域に格納されており、画像処理の実行時に読み出され、実行される。また、画像処理部１２１は、処理対象画像（前述した検査画像２００等）を記憶する記憶領域やプログラムの作業領域を有している。なお、画像処理部１２１は、最終的な処理結果２０６を画像表示装置１０４に出力する。このため、画像処理部１２１には、ユーザインタフェースに関する機能も搭載されている。
【００２１】
目的領域特徴量抽出部１１１は、画像処理部１２１による画像処理により得られる結果画像から目的領域特徴量（目的領域の大きさと数）２０２を抽出する機能を提供する。目的領域特徴量記憶部１１２は、抽出された目的領域特徴量２０２を格納する記憶領域を提供する。当該記憶領域には、例えば半導体記憶装置、ハードディスク装置等を使用する。
【００２２】
次画像処理決定部１２０は、目的領域特徴量２０２の手順間の変化を規定する手順特徴量２０３と過去の処理フローモデル２０５とを比較し、処理対象画像に対して次に適用する画像処理２０４を決定する機能を提供する。
【００２３】
（２−２）表示画面例
図２に、画像表示装置１０４の画面上に表示される表示画面の代表図を示す。表示画面は、抽出結果表示画面２８０と処理手順表示画面２８１で構成される。抽出結果表示画面２８０には、診断対象とする臓器の造影ＣＴ画像に処理結果の情報が重畳的に表示される。図２の場合、造影ＣＴ画像として肝臓ＣＴ画像２５０が表示されている。肝臓ＣＴ画像２５０には、肝臓がんの患部である目的領域２６０と、画像処理により抽出された領域が抽出結果２７０として表示されている。抽出結果表示画面２８０の表示内容は、画像処理の進行に伴って更新される。処理手順表示画面２８１は、実行中の画像処理の手順が表示されている。図２は、３つ目の画像処理が終了したことを表している。
【００２４】
（２−３）画像診断支援処理（目的領域自動抽出処理）
図３に、画像処理装置１００で実行される画像診断支援処理の概要を示す。以下の説明では、操作者が、被験者の造影ＣＴ画像から目的領域である肝臓がん（例えば乏血性肝癌、多血性肝癌）を抽出したい場合を想定する。勿論、目的領域はこれに限らず、その種類を医学的見地に基づいて指定可能な病変部であれば良い。
【００２５】
また、図４に、図３に示す画像診断支援処理の進行に応じて取得される目的領域特徴量と手順特徴量（目的領域特徴量の手順間の変化量）の経時変化を示す。なお、図４においては、各処理の実行回の違いを末尾に付加する括弧内の数字で表現している。なお、形態例１の場合、目的領域特徴量は目的領域の大きさと数の２つで管理される。従って、図４では、処理の進行に伴う目的領域の大きさと数の変化を折れ線グラフによりそれぞれ表している。この明細書において、目的領域の特徴量の大きさとは、体積又は面積で規定されるものとする。
【００２６】
以下、形態例１に係る画像処理装置１００で実行される画像診断支援処理の詳細内容を説明する。
【００２７】
まず、操作者としての医者が、処理対象画像を画像データベース１０３から選択する（処理３００）。具体的には、造影ＣＴ画像を選択する。
【００２８】
次に、医者が、手順特徴量を初期設定する（処理３０１）。ここでの初期設定とは、手順特徴量である目的領域の大きさと目的領域の数の初期値３５０を決める処理である。この形態例の場合、いずれも「０」に初期化する。
【００２９】
手順特徴量が定まると、次画像処理決定部１２０が、次に実行する画像処理を決定する処理を実行する（処理３０２（１））。ただし、最初の処理では、初期値は「０」であり、手順特徴量の変化量は無いため、汎用的な肝癌抽出の画像処理（レベルセットアルゴリズム）を画像処理部１２１に通知する。この結果、画像処理部１２１は、例えばレベルセットアルゴリズムを適用した抽出処理を実行する（処理３０３（１））。
【００３０】
画像処理部１２１は、当該処理結果より目的領域２６０と判定された領域に関する情報を、目的領域データ２０１として目的領域特徴量抽出部１１１に転送する。目的領域特徴量抽出部１１１は、与えられた目的領域データ２０１から処理対象画像に含まれる目的領域特徴量（すなわち、大きさと数）をそれぞれ抽出する（処理３０４（１））。抽出された目的領域特徴量２０２は、目的領域特徴量記憶部１１２に記憶される。
【００３１】
この後、次画像処理決定部１２０は、目的領域特徴量記憶部１１２を検索し、各目的領域特徴量（大きさと数）の変化量を手順特徴量２０３として抽出する（処理３０５（１））。
【００３２】
次に、次画像処理決定部１２０は、抽出された手順特徴量２０３を予め設定した閾値３５１と比較する（処理３０６（１））。手順特徴量２０３が閾値以下の場合（図４の場合、大きさと数のいずれについても閾値以下の場合）、次画像処理決定部１２０は、処理の終了を画像処理部１２１に指示する。この場合、画像処理部１２１は、処理結果２０６を画像表示装置１０４の表示画面に表示する。
【００３３】
一方、手順特徴量２０３が閾値以下でない場合（図４の場合、大きさと数の両方又は一方が閾値を越える場合）、次画像処理決定部１２０は、当該時点までの手順特徴量２０３に基づいて次に実行する画像処理を決定し、画像処理部１２１に指示する（処理３０２（２））。ここで、次画像処理決定部１２０は、手順特徴量２０３で処理フローモデルデータベース１０２を検索し、類似度の高い処理フローモデルについて規定されている次回の画像処理を、現在処理対象としている画像に適用する画像処理に決定する。例えば図４の場合、画像フィルタ（のう胞除去）が２回目の画像処理として決定される。因みに、図４の場合には、３回目の画像処理としてレベルセット（治療痕）が決定される。
【００３４】
このように、本形態例の場合には、処理３０２〜処理３０６の処理が、手順特徴量２０３が所定の閾値３５１以下になるまで繰り返し実行される。すなわち、処理３０６で否定結果が得られている間、処理３０２の各実行時までに取得された手順特徴量２０３の履歴と一致度の高い処理フローが処理フローモデルデータベース１０２から抽出され、当該処理フローモデルについて登録されている次回の画像処理が、画像処理部１２１が次に適用する画像処理２０４として与えられる。
【００３５】
このような処理を実行することにより、本形態例における画像処理装置１００は、操作者による初期設定操作の後は、所望の処理結果が得られるまで自動的に画像処理を決定して処理対象画像に適用することができる。
【００３６】
（２−４）画像処理の自動決定動作
ここでは、手順特徴量２０３から次の画像処理を自動的に決定する際に実行される処理動作の具体例を説明する。
【００３７】
図５に、処理動作例を示す。図５には、手順特徴量２０３の具体例４００と、処理フローモデルデータベース１０２に格納されている処理フローモデル２０５の具体例４０１を示している。図５の場合、処理フローモデル４０２Ａ及び４０２Ｂを描いている。
【００３８】
図５の場合、各処理フローモデルは、手順特徴量４０３Ａ及び４０３Ｂと次画像処理４０４Ａ及び４０４Ｂで構成される。手順特徴量４０３Ａ及び４０３Ｂには、ある実行回までの目的領域の大きさと数の変化が記録されている。
【００３９】
また、次画像処理４０４Ａ及び４０４Ｂには、手順特徴量４０３Ａ及び４０３Ｂが対応する実行回の次に実行された画像処理の内容が格納されている。すなわち、図５は、例えば５回の画像処理が実行された処理フローモデルが存在する場合に、その１回目までの手順特徴量と２回目に実行された次画像処理を記録した処理フローモデル、２回目までの手順特徴量と３回目に実行された次画像処理を記録した処理フローモデル、以下同様に各回までの手順特徴量とその次の回に実行された次画像処理を記録した処理フローモデルを用意した場合に相当する。なお、この例の場合、６回目の処理は存在しないので、５回目までの手順特徴量に対する処理フローモデルでは、その次画像処理として「終了」が記録される。
【００４０】
この場合、現在処理している画像について出現した手順特徴量と類似度の高い処理手順モデルが検出されると、次画像処理が一意に確定する。
【００４１】
もっとも、処理フローモデルとして、全実行回の手順特徴量と各実行回に実行された画像処理の情報を記憶したものを使用しても良い。この場合、決定しようとする実行回の直前回までの範囲で処理手順モデルの手順特徴量を照合し、類似度の高い処理手順モデルが検出されると、その次の実行回に実行された画像処理を次画像処理決定部１２０が読み出せば良い。
【００４２】
この形態例の場合、次画像処理決定部１２０は、処理フローモデル２０５と手順特徴量２０３との類似度を、例えば対応する２つの手順特徴量の差分自乗和に基づいて計算する。この場合、差分自乗和が小さいほど類似度が高いことを意味する。勿論、類似度の算出方法は差分自乗和に限らず、差分絶対値和を用いても良い。図５の場合、具体例４００との類似度は、処理フローモデル４０２Ａのグラフの方が近い。従って、次画像処理決定部１２０は、類似度の大きい処理フローモデル４０２Ａの優先度を処理フローモデル４０２Ｂよりも高く設定する。この後、次画像処理決定部１２０は、優先度が高い処理フローモデル４０２Ａの次画像処理（すなわち、レベルセット（治療痕））を選択し、画像処理部１２１に出力する。
【００４３】
以上説明したように、形態例１に係る画像処理装置１００の採用により、処理対象画像から目的領域を自動抽出したい場合にも、操作者は初期条件を入力した後は、何ら追加の操作を行わなくても必要とされる目標領域を処理対象画像内から抽出することができる。従って、従来装置では未だ必要性の高い画像処理実行中における操作者による画像処理内容の修正操作を不要にできる。これにより、操作者に対する作業負担を軽減し、目的領域が抽出されるまでの時間も短縮することができる。
【００４４】
（３）形態例２
図６に、形態例２に係る画像処理システムの機能ブロック構成を示す。図６には、図１との対応部分に同一符号を付して示す。形態例２に係る画像処理システムが形態例１に係る画像処理システムと異なる点は、次画像処理決定部１２０に初回処理入力２０７を与える入力装置１０５が追加されている点と、次画像処理決定部１２０が操作者の入力した初回処理入力２０７を参照して動作する点である。
【００４５】
図７に、画像処理装置１００で実行される画像診断支援処理の概要を示す。なお、図７には、図３との対応部分に同一符号を付して表している。図７と図３を比較して分かるように、この形態例の場合、処理３０１に代えて処理３０７が実行される。すなわち、処理３０７は、処理３００の後、処理３０２の前に実行される。
【００４６】
形態例１の場合には、処理３０１により、手順特徴量の初期値が設定された。この場合、設定された初期値により、初回に実行される画像処理は予め決められた処理となる。勿論、与える初期値によっては、初回に実行される画像処理を変更することも可能であるが、画像処理の決定は次画像処理決定部１２０が実行しており、操作者の意図を画像処理の決定に反映させることはできない。
【００４７】
一方、本形態例の場合は、処理３０７において、操作者が入力装置１０５を通じて初回に実行される画像処理を具体的に選択又は指定することができる。もっとも、当該指定は処理３００の前に実行されており、処理３０７で事前に入力された初回処理入力２０７が次画像処理決定部１２０に取り込まれるのでも良い。
【００４８】
この形態例の場合、操作者は、初回処理入力２０７として、レベルセット（汎用）、フィルタ（のう胞除去）、レベルセット（治療痕）等を選択することができる。
【００４９】
以上説明したように、形態例２に係る画像処理装置１００を採用すれば、操作者が希望する画像処理を初回画像処理として選択又は指定することができる。これにより、形態例１の効果に加え、操作者の意図に沿った画像処理を提供できる画像処理装置を実現することができる。
【００５０】
（４）形態例３
本形態例においては、形態例１に係る画像処理システム（図１）を構成する次画像処理決定部１２０に搭載して好適な他の処理機能について説明する。なお、この形態例の場合、処理フローモデルデータベース１０２に格納される処理フローモデルのデータ内容も形態例１とは異なっている。
【００５１】
図８に、本形態例に係る次画像処理決定部１２０で実行される処理の概要を示す。図８には、図５との対応部に同一符号を付して示している。本形態例の場合、処理フローモデルデータベース１０２には、処理フローモデルを構成するデータの一部として、その信頼度に関する情報（スコア）が格納されている。スコアは、手順特徴量の類似度を評価する際の修正量（重み）として使用される。ここで、スコアは、信頼度が最高値（最大）の場合を１００、最小値の場合を０とする。因みに、図５の場合、処理フローモデル４０２Ａのスコアは「１０」であり、処理フローモデル４０２Ｂのスコアは「８０」である。
【００５２】
この形態例の場合、次画像処理決定部１２０は、以下に示す処理を通じ、処理対象画像に対して次に適用する画像処理を決定する（処理３０２１）。
【００５３】
まず、次画像処理決定部１２０は、処理対象画像について取得された手順特徴量２０３と処理フローモデル２０５を比較し、処理フローモデル４０２Ａ及び４０２Ｂの類似度を計算する。類似度は割合で示され、完全に一致している場合は１００％で表され、完全に不一致の場合は０％で表される指標である。
【００５４】
次に、次画像処理決定部１２０は、信頼度と類似度を用い、各処理フローモデルの優先順位を決定する。この形態例の場合、信頼度と類似度を和算し、１００で規格化した値を優先度とする。ここで、処理フローモデルの信頼度をＡ１、その重みをｗ１、類似度をＡ２、その重みをｗ２としてすると、優先度は次式で計算することができる。
【００５５】
優先度＝（ｗ１・Ａ１＋ｗ２・Ａ２）／（ｗ１＋ｗ２）
【００５６】
因みに、重みｗ１＝ｗ２＝１とすると、図８における処理フローモデル４０２Ａの優先度は、４５（＝（１０＋８０）／２）となる。一方、図８における処理フローモデル４０２Ｂの優先度は６０（＝（８０＋４０）／２）となる。
【００５７】
この場合、優先順位は、形態例１とは反対になる。すなわち処理フローモデル４０２Ｂの優先順位が１位、処理フローモデル４０２Ａの優先順位が２位となる。従って、次画像処理決定部１２０は、処理フローモデル４０２Ｂの次画像処理４０３Ｂとして記憶されているリージョングローイング（汎用）を画像処理部１２１に出力する。
【００５８】
本形態例に示すように、類似判定の対象となる処理フローモデルに対してアルゴリズムの信頼性を示す指標を導入することにより、形態例１よりも高い精度による抽出結果を操作者に提示することができる。
【００５９】
（５）形態例４
本形態例においては、形態例１に係る画像処理システム（図１）を構成する次画像処理決定部１２０に搭載して好適な他の処理機能について説明する。
【００６０】
図９に、本形態例に係る次画像処理決定部１２０で実行される処理の詳細手順を示す。この形態例の場合、次画像処理決定部１２０は、各実行回に適用した画像処理のアルゴリズムを、第３の手順特徴量として使用する。すなわち、本形態例における次画像処理部１２０は、目的領域の大きさ、目的領域の数、画像処理のアルゴリズムを使用して処理フローモデルの類似度を計算して優先順位を決定し、最も優先順位の高い処理フローモデルの次画像処理を画像処理部１２１に出力する手法を採用する。
【００６１】
勿論、その前提として、処理フローモデルデータベース１０２に格納される各処理フローモデルには、その手順特徴量に画像処理アルゴリズムが含まれているものとする。なお、画像処理アルゴリズムには、各回に実行された画像処理アルゴリズムに加え、使用したパラメータも格納されている。
【００６２】
本形態例の場合、画像処理アルゴリズムの実行順序を考慮した抽出精度の高い結果を操作者に提供することができる。
【００６３】
（６）他の形態例
なお、本発明は上述した形態例に限定されるものでなく、様々な変形例が含まれる。例えば、上述した形態例は、本発明を分かりやすく説明するために詳細に説明したものであり、必ずしも説明した全ての構成を備えるものに限定されるものではない。また、ある形態例の一部を他の形態例の構成に置き換えることが可能であり、また、ある形態例の構成に他の形態例の構成を加えることも可能である。また、各形態例の構成の一部について、他の構成を追加、削除又は置換することも可能である。
【００６４】
また、上述した各構成、機能、処理部、処理手段等は、それらの一部又は全部を、例えば集積回路その他のハードウェアとして実現しても良い。また、上記の各構成、機能等は、プロセッサがそれぞれの機能を実現するプログラムを解釈し、実行することにより実現しても良い。すなわち、ソフトウェアとして実現しても良い。各機能を実現するプログラム、テーブル、ファイル等の情報は、メモリやハードディスク、SSD（Solid State Drive）等の記憶装置、ICカード、SDカード、DVD等の記憶媒体に格納することができる。
【００６５】
また、制御線や情報線は、説明上必要と考えられるものを示すものであり、製品上必要な全ての制御線や情報線を表すものでない。実際にはほとんど全ての構成が相互に接続されていると考えて良い。
【符号の説明】
【００６６】
１００…画像処理装置、１０２…処理フローモデルデータベース、１０３…画像データベース、１０４…画像表示装置、１０５…入力手段装置、１１１…目的領域特徴量抽出部、１１２…目的領域特徴量記憶部、１２０…次画像処理決定部、１２１…画像処理部、２００…検査画像、２０１…目的領域データ、２０２…目的領域特徴量、２０３…手順特徴量、２０４…画像処理、２０５…処理フローモデル、２０６…処理結果、２０７…初回処理入力、２５０…肝臓ＣＴ画像、２６０…目的領域、２７０…目的領域の抽出結果、２８０…抽出結果表示画面、２８１…処理手順表示画面、３５０…初期値、３５１…閾値。
【図１】
0005665655.tif 000002
【図２】
0005665655.tif 000003
【図３】
0005665655.tif 000004
【図４】
0005665655.tif 000005
【図５】
0005665655.tif 000006
【図６】
0005665655.tif 000007
【図７】
0005665655.tif 000008
【図８】
0005665655.tif 000009
【図９】
0005665655.tif 000010